(57)【要約】【課題】縦枠に内向きフランジを有する開口枠の屋外側開口を網戸によって全体にわたって覆うことができる安全性に優れた網戸装置を提供することである。【解決手段】開口枠１０の一対の縦枠１４に設けられた内向きフランジ１７のそれぞれに一対の縦框２４のそれぞれに設けられた嵌合部３０を嵌合して縦框２４を取り付ける。縦框２４に設けられた開閉板３１ｂを開放し、上枠１２および下枠１３の網戸用レール１６に防虫網５０の上下部に取り付けられた上框２２および下框２３の嵌合部２５を嵌合して上框２２および下框２３の取り付けとする。その取り付け後、開閉板３１ｂを閉鎖して網戸２０の組立てとし、同時に網戸２０の取り付けとして、開口枠１０の開口全体を網戸２０によって覆う。【選択図】図３
2015197027.tif 000002
【特許請求の範囲】
【請求項１】
上枠、下枠および左右一対の縦枠からなる開口枠と、その開口枠の内側開口の全体を覆う網戸からなり、
前記網戸が、上框、下框および一対の縦框を備える網戸枠と、その網戸枠の内側に張設され、外周四辺のそれぞれに抜止め突条が設けられた防虫網を有してなり、
前記上框および下框が、前記上枠および前記下枠の室外側に設けられた網戸用レールに対して着脱可能な嵌合部を外方側に有し、内方側には前記防虫網の上下縁部が収容される網収容溝部が設けられ、その網収容溝部の開口側端部に前記抜止め突条を抜止めする対向一対の抜止めフランジが設けられ、
前記一対の縦框のそれぞれが、前記縦枠の室外側に設けられた内向きフランジに対して着脱可能な嵌合部を外方側に有し、内方側には前記防虫網の両側縁部が収容される網収容溝部が設けられ、その網収容溝部の開口側端部に前記抜止め突条を抜止めする対向一対の抜止めフランジが設けられ、
前記上框および下框と前記一対の縦框のいずれか一方に形成された前記網収容溝部の対向一対の板体の一方を、前記対向一対の抜止めフランジの一方を内面に有する開閉板とし、その開閉板を前記嵌合部に対して開閉可能とし、または、着脱自在とした網戸装置。
【請求項２】
前記上框および下框における嵌合部が、前記レールに対する嵌合時に、そのレールとの接触により弾性変形し、その復元弾性によってレールを屋内外から挟持する弾性挟持体を対向内面に有し、前記縦框の嵌合部が、前記内向きフランジに対する嵌合時に、その内向きフランジに対する接触により弾性変形し、その復元弾性によって内向きフランジを屋内外から挟持する弾性挟持体を対向内面に有してなる請求項１に記載の網戸装置。
【請求項３】
前記開閉板を開閉可能とし、その開閉板と前記嵌合部の相互間に、開閉板を閉鎖状態に係止する係止手段を設けた請求項１又は２に記載の網戸装置。
【請求項４】
前記係止手段が、開閉板の内面に設けられた矢じり形の突出部と、前記嵌合部内方側端壁に設けられて、前記突出部のネック部に係合可能な突条が開口部に設けられた係合溝からなる請求項３に記載の網戸装置。
【請求項５】
前記一対の縦框に前記開閉板を設け、その開閉板と溝部形成用の前記板体の対向部間において前記一対の抜止めフランジの内方側に框収容溝部を設け、前記上框および下框における嵌合部の内方側に、前記框収容溝部に両端部が収容される細幅部を設けた請求項１乃至４のいずれか１項に記載の網戸装置。
【発明の詳細な説明】
【技術分野】
【０００１】
この発明は、開口枠の開口全体を網戸によって覆うようにした網戸装置に関する。
【背景技術】
【０００２】
開口枠の内側に一対のガラス障子をスライド自在に設けた引違い窓においては、ガラス障子を開放すると、そのガラス障子の縦框と開口枠の縦枠間に開口が形成され、その開口から室内に虫が進入するおそれがある。
【０００３】
そこで、引違い窓においては、普通、下記特許文献１に記載されているように、屋外側のガラス障子の外側に網戸を設けて虫の進入を防止することが行われる。
【先行技術文献】
【特許文献】
【０００４】
【特許文献１】特開２０１１−２１３３３号公報
【発明の概要】
【発明が解決しようとする課題】
【０００５】
ところで、上記特許文献１に記載された網戸装置においては、網戸がガラス障子とほぼ同じ大きさであり、その網戸を開口枠の屋外側に設けられた網戸用レールに沿ってスライド自在に支持し、ガラス障子の開放によって開口が形成されると、その開口位置まで網戸をスライドさせて開口を閉鎖するようにしているが、子供がガラス障子を開放した際には、形成された開口を網戸で閉鎖し忘れることが多々ある。
【０００６】
このとき、外壁部に形成されて人の出入りがない引違い窓においては、子供が開口から屋外に身を乗り出したり、あるいは、開口枠の下枠に腰を掛けたりする場合があって、誤って転落する可能性があり、極めて危険である。
【０００７】
ここで、安全性を確保するには開口枠の屋外側の開口を網戸で全体を覆うことが有効であるが、従来から知られている網戸は落とし込みによる取り付けであり、一方、開口枠の左右の縦枠には、網戸の縦框に形成された溝内に侵入して隙間を封じる内向きのフランジが設けられているため、落とし込みによる網戸の取り付けの場合、上記内向きフランジが邪魔をして網戸を取り付けることができず、開口枠の屋外側開口の全体を網戸で覆うことができない。
【０００８】
この発明の課題は、縦枠に内向きフランジを有する開口枠の屋外側開口を網戸によって全体にわたって覆うことができる安全性に優れた網戸装置を提供することである。
【課題を解決するための手段】
【０００９】
上記の課題を解決するため、この発明においては、上枠、下枠および左右一対の縦枠からなる開口枠と、その開口枠の内側開口の全体を覆う網戸からなり、前記網戸が、上框、下框および一対の縦框を備える網戸枠と、その網戸枠の内側に張設され、外周四辺のそれぞれに抜止め突条が設けられた防虫網を有してなり、前記上框および下框が、前記上枠および前記下枠の室外側に設けられた網戸用レールに対して着脱可能な嵌合部を外方側に有し、内方側には前記防虫網の上下縁部が収容される網収容溝部が設けられ、その網収容溝部の開口側端部に前記抜止め突条を抜止めする対向一対の抜止めフランジが設けられ、前記一対の縦框のそれぞれが、前記縦枠の室外側に設けられた内向きフランジに対して着脱可能な嵌合部を外方側に有し、内方側には前記防虫網の両側縁部が収容される網収容溝部が設けられ、その網収容溝部の開口側端部に前記抜止め突条を抜止めする対向一対の抜止めフランジが設けられ、前記上框および下框と前記一対の縦框のいずれか一方に形成された前記網収容溝部の対向一対の板体の一方を、前記対向一対の抜止めフランジの一方を内面に有する開閉板とし、その開閉板を前記嵌合部に対して開閉可能とし、または、着脱自在とした構成を採用したのである。
【００１０】
上記の構成からなる網戸装置において、一対の縦框に開閉板が設けられている場合の網戸の取り付けに際しては、開口枠における一対の縦枠の内向きフランジのそれぞれに縦框の嵌合部を嵌合して縦框を取り付け、その縦框の開閉板を開放した状態で、対向する縦框の上部間および下部間に上框および下框を組み付ける。
【００１１】
このとき、上框および下框のそれぞれに形成された網収容溝部に防虫網の上側縁部および下側縁部を嵌合して抜止め突条と抜止めフランジの係合により抜止めし、防虫網の上下の縁部に上框および下框が連結された状態で、その上框および下框を対向一対の縦框間に組み付け、その組み付け後、上框を上方にずらし、かつ、下框を下方にずらして、上框および下框のそれぞれの嵌合部を上枠および下枠の網戸用レールに嵌合して、上框および下框の取り付けとする。
【００１２】
上記のような上框および下框の取り付け後、開閉板を閉鎖することにより、その開閉板の内面に設けられた抜止めフランジが板体の内面に設けられた抜止めフランジと対向して、開閉板と板体の対向部間に網収容溝部が形成され、その網収容溝部に防虫網の両側の抜止め突条が収容されて対向一対の抜止めフランジにより抜止めされ、網戸の組立てと同時に網戸の取り付けとされ、その網戸によって開口枠における開口の全体を覆うことができる。
【００１３】
ここで、上框および下框における嵌合部の対向内面のそれぞれに、網戸用レールに対する嵌合部の嵌合時に内方側に向けて弾性変形し、その復元弾性によって網戸用レールを前後から挟持する弾性挟持体を設け、一方、縦框の嵌合部の対向内面のそれぞれに、内向きフランジに対する嵌合部の嵌合時に内方側に向けて弾性変形し、その復元弾性によって内向きフランジを前後から挟持する弾性挟持体を設けておくと、上框、下框および一対の縦框を強固に取り付けることができる。
【００１４】
また、開閉板を開閉可能とする場合において、その開閉板と嵌合部の相互間に、開閉板を閉鎖状態に係止する係止手段を設けておくと、開閉板が振動等によって開放するのを防止し、安定した閉鎖状態を得ることができる。
【００１５】
係止手段として、開閉板の内面に設けられた矢じり形の突出部と、嵌合部の内方側端壁に設けられて、上記突出部のネック部に係合可能な突条が開口部に設けられた係合溝からなるものを採用することができる。
【００１６】
なお、開閉板が上框および下框に設けられている場合の網戸の取り付けに際しては、上枠および下枠の網戸用レールに対する嵌合部の嵌合により上框および下框を取り付け、それぞれの框に設けられた開閉板を開放した状態で、一対の縦框を上框と下框の対向部間に組み入れ、その一対の縦框の嵌合部を縦枠の内向きフランジに嵌合して一対の縦框の取り付けとする。
【００１７】
この場合、一対の縦框のそれぞれ内方側に形成された網収容溝部に防虫網の両側縁部を嵌合して抜止め突条と抜止めフランジの係合により抜止めし、防虫網の両側縁部に一対の縦框が連結された状態で、その一対の縦框を上框と下框の対向部間に組み付け、その組み付け後、一対の縦框のそれぞれを外側に位置をずらし、上枠および下枠の網戸用レールに対する嵌合部の嵌合により上框および下框の取り付けとする。
【発明の効果】
【００１８】
この発明においては、上記のように、上枠および下枠の網戸用レールに対する嵌合部の嵌合によって上框および下框の取り付けとすることができ、また、縦枠の内向きフランジに対する嵌合部の嵌合により一対の縦框の取り付けとすることができ、その上框および下框と一対の縦框のいずれか一方に形成された網収容溝部の対向一対の板体の一方を開閉板として、その開閉板を閉鎖することにより、防虫網の対向一対の縁部を抜止めして網戸の組立てと同時に取り付けとすることができるため、開口枠の開口全体を網戸によって覆うことができる。
【図面の簡単な説明】
【００１９】
【図１】この発明に係る網戸装置の縦断面図
【図２】図１に示す網戸装置の横断面図
【図３】図１の上框の取付け部を拡大して示す断面図
【図４】図２の縦框の取付け部を拡大して示す断面図
【図５】網戸を室内側から視た状態の正面図
【図６】図５の一部を拡大して示す断面図
【図７】図６に示される縦框、上框およびコーナ部材を示す分解斜視図
【図８】上框の組込み前の状態を示す横断面図
【発明を実施するための形態】
【００２０】
以下、この発明の実施形態を図面に基づいて説明する。図１および図２は引違い窓を示す。この引違い窓は、屋外側壁Ｗに窓を形成する開口枠１０の内側に一対のガラス障子１１ａ、１１ｂを設け、そのガラス障子１１ａ、１１ｂの外側に設けた網戸２０によって開口枠１０の開口全体を覆うようにしている。
【００２１】
開口枠１０は、上枠１２、下枠１３および一対の縦枠１４から形成された四辺形枠からなり、上記上枠１２および下枠１３の内周には上下で対向する一対のレールが見込み方向に間隔をおいて２組設けられ、各組の上下一対のレール１５のそれぞれに沿って一対のガラス障子１１ａ、１１ｂのそれぞれがスライド自在に支持されている。
【００２２】
また、上枠１２および下枠１３の内周における室外側には網戸用レール１６が設けられている。一方、縦枠１４の内周における屋外側には内向きフランジ１７が設けられ、その内向きフランジ１７の上下両端は上記網戸用レール１６の左右両端に対して突合せとされて四辺形枠を形成している。
【００２３】
図５に示すように、網戸２０は、網戸枠２１と、その網戸枠２１の内側開口を覆うようにして張設された防虫網５０からなる。図３および図４に示すように、上記防虫網５０には外周四辺のそれぞれに抜止め突条５１が設けられている。抜止め突条５１は、スライドファスナのファスナテープの側縁部に取付けられたファスナエレメントとからなり、そのファスナエレメントが設けられた図示省略のファスナテープが防虫網５０における外周の各辺縁部に重ね合わされて固着一体化されている。
【００２４】
図３乃至図７に示すように、網戸枠２１は、上框２２、下框２３および左右一対の縦框２４によって形成された四辺形枠からなり、上記上框２２および下框２３は開口枠１０の上枠１２および下枠１３の室外側に設けられた前述の網戸用レール１６に嵌合可能な嵌合部２５を外方側に有すると共に、その嵌合部２５より幅寸法が小さい細幅部２６を内方側に有する塩化ビニル樹脂等の硬質の合成樹脂の押出し成形品からなる。
【００２５】
図３に示すように、嵌合部２５における外壁板２５ａと内壁板２５ｂの対向内面のそれぞれには板片状の複数の弾性挟持体２７が千鳥状の配置でもって形成されている。弾性挟持体２７は、軟質塩化ビニル樹脂等の柔軟性を有する樹脂により成形され、網戸用レール１６に対する嵌合部２５の嵌合時、レール１６の内側縁部に対する接触により内方側に向けて弾性変形し、その復元弾性によってレール１６を屋内外から挟持するようになっている。
【００２６】
細幅部２６における外壁板２６ａは嵌合部２５における外壁板２５ａと同一面を形成し、一方、細幅部２６の内壁板２６ｂは嵌合部２５の内壁板２５ｂに対して内方に段差をもって形成されている。細幅部２６の内周には防虫網５０の上側縁部あるいは下側縁部が収容される網収容溝部２８が設けられ、その網収容溝部２８の開口に抜止め突条５１を抜止めする対向一対の抜止めフランジ２９が設けられている。
【００２７】
図４に示すように、縦框２４は、開口枠１０の縦枠１４に設けられた内向きフランジ１７に嵌合可能な嵌合部３０を外方側に有すると共に、その嵌合部３０より幅寸法が大きい広幅部３１を内方側に有する塩化ビニル樹脂等の樹脂成形品からなる。
【００２８】
嵌合部３０の見込み方向の幅寸法は、上框２２の嵌合部２５の幅寸法に等しく、その嵌合部３０における外壁板３０ａと内壁板３０ｂの対向内面のそれぞれに板片状の複数の弾性挟持体３２が千鳥状の配置でもって形成されている。弾性挟持体３２は、軟質塩化ビニル樹脂等の柔軟性を有する樹脂により成形され、内向きフランジ１７に対する嵌合部３０の嵌合時、内向きフランジ１７の内側縁部に対する接触により内方側に向けて弾性変形し、その復元弾性によって内向きフランジ１７を屋内外から挟持するようになっている。
【００２９】
広幅部３１における板体としての外壁板３１ａは嵌合部３０における外壁板３０ａに対して外方に段差をもって形成され、一方、板体としての内壁板３１ｂは嵌合部３０における内壁板３０ｂと同一面を形成する位置に配置されている。
【００３０】
広幅部３１の内周には防虫網５０の両側縁部が収容される網収容溝部３３が設けられ、その網収容溝部３３の開口端部に抜止め突条５１を抜止めする対向一対の抜止めフランジ３４が設けられている。また、広幅部３１には、一対の抜止めフランジ３４の内方側に上框２２および下框２３における細幅部２６の両端部が嵌合可能な框収容溝部３５が設けられている。
【００３１】
広幅部３１における板体としての内壁板３１ｂは開閉板とされている。その開閉板３１ｂは嵌合部３０における内壁板３０ｂの内方側に帯板状のヒンジ片３６を介して連設されている。ヒンジ片３６は軟質塩化ビニル樹脂等の軟質の樹脂により成形されて柔軟性を有し、そのヒンジ片３６を介して開閉板３１ｂが開閉自在とされている。
【００３２】
開閉板３１ｂは、嵌合部３０との間に設けられた係止手段４０によって閉鎖状態に係止される。係止手段４０は、開閉板３１ｂの内面に矢じり形の突出部４１を設け、嵌合部３０の内方側端壁３０ｃにおける内周面の室内側端部に対向一対の突条４３が開口部に形成された係合溝４２を設け、その係合溝４２に突出部４１を押し込み、突出部４１のネック部４１ａに対する突条４３の係合により突出部４１を抜止めして、開閉板３１ｂを閉鎖状態に保持している。
【００３３】
図５乃至図７に示すように、縦框２４の上下端にはコーナ部材６０が接続されている。コーナ部材６０は、縦框２４における嵌合部３０の端面および上框２２および下框２３の左右の端面に外周の２面が衝合される突出部６１の室外側に上框２２および下框２３の嵌合部２５の室外側端部および縦框２４における嵌合部３０の室外側面に衝合される板体６２を設け、上記突出部６１の縦框２４の端面に当接される面に複数のピン６３を縦框２４の嵌合部３０に圧入嵌合される配置でもって設け、その複数のピン６３の圧入によって縦框２４の上下端に接続されている。
【００３４】
また、突出部６１には縦枠１４の内向きフランジ１７が挿入されるスリット６４および上枠１２および下枠１３のレール１６が挿入されるスリット６５を設けている。
【００３５】
実施の形態で示す網戸装置は上記の構造からなり、網戸２０の取り付けに際しては、縦框２４の上下端にコーナ部材６０を接続した状態で、その縦框２４の嵌合部３０を開口枠１０における一対の縦枠１４の内向きフランジ１７に嵌合して縦框２４を取り付ける。
【００３６】
上記のような縦框２４の取り付け後、図８に示すように、開閉板３１ｂを室内側に開放し、対向する縦框２４の上部間および下部間に上框２２および下框２３を嵌め込んで、上框２２および下框２３のそれぞれに設けられた細幅部２６の両端部を一対の縦框２４における外壁板３１ａの内面に当接する。
【００３７】
このとき、上框２２および下框２３の細幅部２６のそれぞれ内周に形成された網収容溝部２８に防虫網５０の上側縁部および下側縁部を嵌合して抜止め突条５１と抜止めフランジ２９の係合により抜止めし、防虫網５０の上下縁部に上框２２および下框２３が連結された状態で、その上框２２および下框２３の組み付けを行う。
【００３８】
上框２２および下框２３の組み付け後、外壁板３１ａの内面に沿って上框２２を上方に位置をずらし、かつ、下框２３を下方に位置をずらして、上框２２および下框２３のそれぞれの嵌合部２５を上枠１２および下枠１３の網戸用レール１６に嵌合して、上框２２および下框２３の取り付けとする。
【００３９】
上記のような上框２２および下框２３の取り付け後において、開閉板３１ｂを閉鎖する。その閉鎖により、図４に示すように、開閉板３１ｂと外壁板３１ａの対向部間に形成される網収容溝部３３に防虫網５０の両側の抜止め突条５１が収容されて対向一対のフランジ３４により抜止めされる。また、框収容溝部３５に上框２２および下框２３の細幅部２６の端部が収容されて網戸２０の組立てと同時に取り付けとされ、その網戸２０によって開口枠１０における開口の全体が覆われる。
【００４０】
ここで、古くなった防虫網５０、あるいは、損傷した防虫網５０の取り換えに際しては、開閉板３１ｂを図４の鎖線で示すように開放したのち、上框２２を下方に位置をずらし、かつ、下框２３を上方に位置をずらし、網戸用レール１６に対する嵌合部２５の嵌合を解除して、上框２２および下框２３を室内側に引き寄せ、開口枠１０から上框２２および下框２３と共に防虫網５０を取り外す。
【００４１】
上框２２および下框２３と防虫網５０からなる連結部品の取り外し後、防虫網５０を新しい防虫網５０に交換する。その交換後、上述の網戸２０を組み立てる要領でもって上枠１２および下枠１３の網戸用レール１６に上框２２および下框２３を取り付け、その取り付け後に開閉板３１ｂを閉鎖する。
【００４２】
実施の形態においては、一対の縦框２４のそれぞれに開閉板３１ｂを設けるようにしたが、一対の縦框２４に代えて、上框２２および下框２３に開閉板を設けるようにしてもよい。この場合、上框２２および下框２３の取り付け後、防虫網５０の両側縁部に一対の縦框２４を取り付けて、その一対の縦框２４の取り付けを行うようにする。
【００４３】
また、縦框２４の開閉板３１ｂが屋内側に配置されるようにして網戸２０を屋内側から組立てるようにしたが、開閉板３１ｂが屋外側に配置されるようにして屋外側から網戸２０の組立てを行うようにしてもよい。
【００４４】
さらに、上框２２および下框２３は、細幅部２６の見込み方向の幅寸法でもって全体を樹脂成形してもよい。
【００４５】
また、開閉板３１ｂをヒンジ片３６によって開閉自在としたが、着脱自在の取り付けとしてもよい。
【符号の説明】
【００４６】
１０  開口枠
１２  上枠
１３  下枠
１４  縦枠
１６  網戸用レール
１７  内向きフランジ
２０  網戸
２１  網戸枠
２２  上框
２３  下框
２４  縦框
２６  細幅部
２７  弾性挟持体
２８  網収容溝部
２９  抜止めフランジ
３１ａ  外壁板（板体）
３１ｂ  内壁板（開閉板）
３２  弾性挟持体
３３  網収容溝部
３４  抜止めフランジ
３５  框収容溝部
４０  係止手段
４１  突出部
４２  係合溝
４３  突条
５０  防虫網
５１  抜止め突条
【図１】
2015197027.tif 000003
【図２】
2015197027.tif 000004
【図３】
2015197027.tif 000005
【図４】
2015197027.tif 000006
【図５】
2015197027.tif 000007
【図６】
2015197027.tif 000008
【図７】
2015197027.tif 000009
【図８】
2015197027.tif 000010